(57)【要約】【課題】携帯端末や画像形成装置のＷｅｂブラウザーでURLアドレス領域を非表示設定にしてサーバーのレスポンスを表示する。ＷｅｂブラウザーはＵＲＬアドレス領域を表示する設定を指示するスクリプトを実行しＵＲＬアドレス領域を表示する。【解決手段】ＷｅｂブラウザーがURLアドレス領域を非表示設定なときに、ボタン押下を認識して紐づくＪａｖａＳｃｉｐｔを実行してから受信レスポンスを表示するまでに、ＷｅｂブラウザーはURLアドレス領域が表示設定になっているかどうかを判断する。ＵＲＬアドレス領域が表示設定になっていれば、ステータスフィールドにＵＲＬアドレス領域が表示中であることを表示する。非表示設定の場合は、ステータスフィールドにＵＲＬアドレス領域が非表示中であることを表示する。【選択図】  図３
2018132845.tif 000002
【特許請求の範囲】
【請求項１】
埋め込み判断部（３０００）、設定値判断部（３００１）、リクエスト処理部（３００２）、スクリプト処理部（３００３）、表示処理部（３００４）、設定値管理部（３００５）、解析部（３００６）からなるＷｅｂブラウザー（３０１）
を有することを特徴とする携帯端末（１００）。
【請求項２】
埋め込み判断部（３０００）、設定値判断部（３００１）、リクエスト処理部（３００２）、スクリプト処理部（３００３）、表示処理部（３００４）、設定値管理部（３００５）、解析部（３００６）からなるＷｅｂブラウザー（３０１）
を有することを特徴とする画像形成装置（１０１）。
【請求項３】
埋め込み判断部（３０００）は、ボタンに紐づくＪａｖａＳｃｒｉｐｔが埋め込まれているかどうかを判断する（Ｓ５００２）。
【請求項４】
設定値判断部（３００１）は、ＪａｖａＳｃｒｉｐｔの実行結果のＵＲＬアドレス領域の表示・非表示設定を判断し（Ｓ５００４）、ＵＲＬアドレス領域の設定値が表示設定かどうかを判断する（Ｓ５００８）。
【請求項５】
リクエスト処理部（３００２）は、ボタン押下を認識し（Ｓ５００１）、ボタン押下に対応するリクエストを送信し（Ｓ５０１１）、リクエスト送信に対応するレスポンスを受け取る（Ｓ５０１２）。
【請求項６】
ＪａｖａＳｃｒｉｐｔの指示内容を実行する（Ｓ５００３）スクリプト処理部（３００３）。
【請求項７】
表示処理部（３００４）は、ＵＲＬアドレス領域を表示し（Ｓ５００５）、ＵＲＬアドレス領域を非表示にし（Ｓ５００６）、ステータスフィールドに“アドレスバー表示中”を表示し（Ｓ５００９）、ステータスフィールドに“アドレスバー非表示”を表示し（Ｓ５０１０）、ＵＲＬアドレスをＵＲＬアドレス領域に設定し（Ｓ５０１４）、コンテンツをコンテンツ領域に設定し表示する（Ｓ５０１５）。
【請求項８】
設定値管理部（３００５）は、ＵＲＬアドレス領域の設定値を管理する（Ｓ５００７）。
【請求項９】
解析部（３００６）は、受け取ったレスポンスをＵＲＬアドレスとコンテンツに解析する（Ｓ５０１３）。
【請求項１０】
表示処理部（３００４）は、一定時間の経過やステータスフィールドの押下により、ステータスフィールドのステータス表示を切り替えて表示する。
【発明の詳細な説明】
【技術分野】
【０００１】
本発明は、ウェブページを閲覧するためのブラウザーを備える携帯対端末や画像形成装置、その制御方法及びプログラムに関するものである。
【背景技術】
【０００２】
一般的にスマートフォンと呼ばれる携帯端末やスキャナやプリンタを備えたＭＦＰ（Ｍｕｌｔｉ  Ｆｕｎｃｔｉｏｎ  Ｐｅｒｉｐｈｅｒａｌ、以下、画像形成装置と称する。）にウェブページを閲覧するためのＷｅｂブラウザーを備えている。
【０００３】
携帯端末や画像形成装置は、起動時に利用可能な複数の機能メニューの一覧を起動時に表示することでユーザーの利便性を高めている。（以下トップメニューと称する。）
Ｗｅｂブラウザー機能は、開始時に接続する特定のＷｅｂサーバーのトップページアドレスをあらかじめトップメニューに登録し、利用可能な機能として表示することも一般的である。図６ (ａ)は、トップメニューから遷移してＷｅｂブラウザーが表示する画面イメージである。トップメニューから遷移してＷｅｂブラウザーが画面表示する際に、携帯端末や画像形成装置は画面サイズが小さいため、URLアドレス領域（図6(ａ)の6001はイメージ図）を非表示にする。ＷｅｂブラウザーがURLアドレス領域を非表示にした際の表示イメージを図6（ｂ）に示す。これによりＷｅｂブラウザーのサーバーからのレスポンス表示領域（以下、コンテンツ領域と称する。図6(ａ)の6002、図6(ｂ)の6003はイメージ図）が広がり利便性が高まる。
【０００４】
近年、接続するサーバーのアドレスによって、URLアドレス領域の表示や非表示を切り替えるＷｅｂブラウザーも存在する（特許文献１）。
【先行技術文献】
【特許文献】
【０００５】
【特許文献１】特許第５４５５５８２号公報
【発明の概要】
【発明が解決しようとする課題】
【０００６】
携帯端末や画像形成装置のＷｅｂブラウザーでURLアドレス領域を非表示設定にしてサーバーのレスポンスを表示する。ＷｅｂブラウザーはＵＲＬアドレス領域を表示する設定を指示するスクリプトを実行しＵＲＬアドレス領域を表示する。
【０００７】
・ＵＲＬアドレス領域が非表示でコンテンツ領域にURLアドレスに似せた画像を表示する
・ＵＲＬアドレス領域を表示する指示設定のスクリプトを実行し、ＵＲＬアドレス領域を表示する（１）と（２）の区別がつかない。
【課題を解決するための手段】
【０００８】
埋め込み判断部（３０００）、設定値判断部（３００１）、リクエスト処理部（３００２）、スクリプト処理部（３００３）、表示処理部（３００４）、設定値管理部（３００５）、解析部（３００６）からなるＷｅｂブラウザー（３０１）
を有することを特徴とする携帯端末（１００）
【発明の効果】
【０００９】
スクリプトを実行してＵＲＬアドレス領域が表示中である時に後述のステータスフィールドにステータスを表示することで、ＵＲＬアドレス領域が非表示な場合との区別をする効果を得る。
【００１０】
さらに、コンテンツ領域にＵＲＬアドレスに似せた画像を表示する場合、後述のステータスフィールドにＵＲＬアドレス領域が非表示であることを表示する。このことで、サーバーの乗っ取りや成りすましによるコンテンツとの区別をする効果を得る。
【図面の簡単な説明】
【００１１】
【図１】本発明の実施形態におけるシステムの全体図
【図２】（ａ）本発明の実施形態における携帯端末１００の構成を示すブロック図  （ｂ）本発明の実施形態における画像形成装置１０１の構成を示すブロック図
【図３】ＲＯＭ２１２に格納したソフトウェア構成図
【図４】ＵＲＬアドレス領域設定値管理テーブルのイメージ図
【図５】ボタン押下を認識し、受信レスポンスを表示する処理のシーケンス図
【図６】（ａ）〜（ｈ）  Ｗｅｂブラウザーが表示する画面のイメージ図
【図７】スクリプトのイメージ図
【図８】（ａ）解析結果のＵＲＬアドレスのイメージ図  （ｂ）解析結果のコンテンツのイメージ図
【図９】（ａ）解析結果のＵＲＬアドレスのイメージ図  （ｂ）解析結果のコンテンツのイメージ図
【図１０】Ｗｅｂブラウザーが表示する画面のイメージ図
【発明を実施するための形態】
【００１２】
以下、本発明を実施するための形態について図面を用いて説明する。
尚、以下の実施の形態は特許請求の範囲に係る発明を限定するものでなく、また実施の形態で説明している特徴の組み合わせの全てが発明の解決手段に必須のものとは限らない。
【００１３】
はじめに、本発明が解決する課題に関して以下、図６（ａ）、６（ｂ）を用いて説明する。図６（ｂ）は、ＵＲＬアドレス領域を非表示設定にして後述のサーバー１０２のレスポンスを後述の操作部２１９にＷｅｂブラウザー３０１が表示する画面イメージである。Ｗｅｂブラウザーは接続先の後述のサーバー１０２が返すＵＲＬアドレス領域表示設定のスクリプトを実行した場合、ＵＲＬアドレス領域を表示する。
【００１４】
図７は、スクリプトのイメージ図である。スクリプト７００１は図６（ｂ）に表示される後述のサーバー１０２のレスポンスに埋め込まれる。サービスB（6004）ボタン押下をＷｅｂブラウザーが認識してスクリプト７００１を実行する。スクリプト７００１を実行すると、スクリプト７００１の設定内容を反映する。設定内容は、URLアドレス領域を“表示”となっているため、ＵＲＬアドレス領域（図６（ａ）６００１）を表示する。この表示を反映した後、後述のサーバー１０２へ送信リクエストを送り、後述のサーバー１０２が返すレスポンスを、レスポンス領域６００２に反映する。例えば、サービスＢ（6004）にアクセスするための認証画面などがあげられる。
【００１５】
（１）図６（ｃ）は、ＵＲＬアドレス領域が非表示でコンテンツ領域６００６にURLアドレスに似せた画像６００５をＷｅｂブラウザー３０１が表示する画面イメージである。ＵＲＬアドレスに似た画像６００５は、後述のサーバー１０２が返すコンテンツである。例えば、後述のサーバー１０２の乗っ取りやなりすまし等のケースがあげられる。コンテンツ領域は６００６の範囲であり、ＵＲＬアドレス領域は非表示設定で表示されないが、似た画像が表示されるため判断できない。
【００１６】
（２）図６（ｄ）は、ＵＲＬアドレス領域を表示するスクリプトを実行した結果、Ｗｅｂブラウザー３０１が表示する画面イメージである。ブラウザー３０１は、ＵＲＬアドレス領域6007とコンテンツ領域6008を表示する。
このことから、（１）と（２）の区別がつかない。
【００１７】
次に、本発明の実施例に係る携帯端末及び画像処理装置について説明する。
（第１の実施形態）
図１は、本実施形態におけるシステムの全体図である。ネットワーク１１０には、携帯端末１００と画像処理装置１０１とサーバー１０２が互いに通信可能に接続している。
【００１８】
図２（a）は、携帯端末１００の構成を示すブロック図である。ＣＰＵ２１１を含む制御部２１０は、携帯端末１００全体の動作を制御する。ＣＰＵ２１１は、ＲＯＭ２１２に記憶した制御プログラムを読み出して制御処理を実行する。ＲＡＭ２１３は、ＣＰＵ２１１の主メモリ、ワークエリア等の一時記憶領域として用いられる。ＨＤＤ２１４は、Ｗｅｂブラウザーなどの利用可能な各種プログラムや画像データを記憶する。操作部Ｉ／Ｆ２１５は、操作部２１９と制御部２１０とを接続する。操作部２１９には、タッチパネル機能を有する液晶表示部やキーボードなどが備えられている。
【００１９】
ネットワークＩ／Ｆ２１８は、制御部２１０（携帯端末１００）をネットワーク１１０に接続する。ネットワークＩ／Ｆ２１８は、ネットワーク１１０上の外部装置（サーバー１０２）にＷｅｂブラウザーがアクセスする接続先のサーバーのＵＲＬアドレスを送信する。
【００２０】
図３は、携帯端末１００のＲＯＭ２１２に格納した各制御プログラムをＣＰＵ２１１が実行することにより実現するソフトウェア構成図である。Ｗｅｂブラウザー３０１は、埋め込み判断部３０００、設定値判断部３００１、リクエスト処理部３００２、スクリプト処理部３００３、表示処理部３００４、設定値管理部３００５、解析部３００６から成る。埋め込み判断部３０００は、認識したボタン押下にＪａｖａＳｃｒｉｐｔ(登録商標)等のＷｅｂブラウザー３０１が設定内容を反映するスクリプトが埋め込まれているかどうかを判断する。
【００２１】
設定値判断部３００１は、ＪａｖａＳｃｒｉｐｔによるＵＲＬアドレス領域の表示・非表示を判断し、Ｗｅｂブラウザー３０１のＵＲＬアドレス領域の表示・非表示設定を判断する。リクエスト処理部３００２は、送信リクエストをサーバー１０２へ送信し、送信リクエストに対応するレスポンスをサーバー１０２から受け取る。スクリプト処理部３００３は、ＪａｖａＳｃｒｉｐｔを実行する。
【００２２】
表示処理部３００４は、Ｗｅｂブラウザー３０１のＵＲＬアドレス領域の表示・非表示、コンテンツ領域の表示、後述のステータスフィールドの表示・非表示の処理を実行する。ステータスフィールドとは、操作部２１５に前記各制御プログラムが実行状況のステータス情報を表示することが可能な領域である。Ｗｅｂブラウザー３０１は、ＵＲＬアドレス領域を表示しているかどうかを表示するために利用する。
【００２３】
設定値管理部３００５は、図４で示すようにＷｅｂブラウザー３０１のＵＲＬアドレス領域の設定値を管理する。具体的には、トップページアドレス、ＵＲＬアドレス領域列を管理し、トップページアドレス毎にＵＲＬアドレス領域を表示するかどうかの設定値を管理する。解析部３００６は、受け取ったレスポンスをＵＲＬアドレスとコンテンツに解析する。
【００２４】
（ボタン押下を認識し、受信レスポンスを表示するまでの処理）
本実施形態における携帯端末１００の操作部２１５にＷｅｂブラウザー３０１を表示する。図５は、Ｗｅｂブラウザー３０１でボタン押下を認識し、受信レスポンスを表示するまでの処理のシーケンスである。Ｓ５００１で、リクエスト処理部３００２はボタン押下を認識する。
【００２５】
Ｓ５００２で、埋め込み判断部３０００は認識したボタンに紐づくＪａｖａＳｃｒｉｐｔが埋め込まれているかどうかを判断する。埋め込まれている場合は、Ｓ５００３へ遷移し、それ以外はＳ５００７へ遷移する。Ｓ５００３で、スクリプト処理部３００３は、前記ＪａｖａＳｃｒｉｐｔの指示内容を実行する。Ｓ５００４で、設定値判断部３００１は、前記ＪａｖａＳｃｒｉｐｔの実行結果を取得する。取得した実行結果のＵＲＬアドレス領域の表示・非表示設定を判断し、表示設定であれば、Ｓ５００５へ遷移し、それ以外は、Ｓ５００６へ遷移する。
【００２６】
Ｓ５００５で、表示処理部３００４はＵＲＬアドレス領域を表示する。Ｓ５００６で、表示処理部３００４はＵＲＬアドレス領域を非表示にする。Ｓ５００７で、設定値管理部３００５は管理するＵＲＬアドレス領域の設定値を取得する。Ｓ５００８で、設定値判断部３００１は、前記Ｓ５００７で取得したＵＲＬアドレス領域が表示設定かどうか判断する。表示設定の場合は、Ｓ５００９へ遷移し、それ以外はＳ５０１０へ遷移する。Ｓ５００９で、表示処理部３００４は、ステータスフィールドに“アドレスバー表示中”を表示する。
【００２７】
Ｓ５０１０で、表示処理部３００４は、ステータスフィールドに“アドレスバー非表示”を表示する。Ｓ５０１１で、リクエスト処理部３００２は、Ｓ５００１のボタン押下に対応する送信リクエストをサーバー１０２へ送信する。Ｓ５０１２で、リクエスト処理部３００２は、前記送信リクエストに対応するレスポンスをサーバー１０２から受け取る。Ｓ５０１３で、解析部３００６は、前記Ｓ５０１２で受け取ったレスポンスをＵＲＬアドレスとコンテンツに解析する。
【００２８】
Ｓ５０１４で、表示処理部３００４は、前記Ｓ５０１３で解析したＵＲＬアドレスをＵＲＬアドレス領域に設定する。URLアドレス領域にＵＲＬアドレスを表示するかどうかは、Ｓ５００５、Ｓ５００６の表示処理に依存する。Ｓ５０１５で、表示処理部３００４は、前記Ｓ５０１３で解析したコンテンツをコンテンツ領域に設定し表示する。
【００２９】
（ボタン押下を認識し、受信レスポンスを表示するまでの適用例）
Ｗｅｂブラウザー３０１でボタン押下を認識し、受信レスポンスを表示するまでの適用例を、図４、図６（ｂ）、図６（ｅ）、図６（ｆ）〜（ｈ）、図７、図８（ａ）（ｂ）を用いて説明する。本適用例は各テーブル情報を以下の通りに設定しているものとする。
【００３０】
図４は、トップページアドレス“http://www.aaa.bbb”、ＵＲＬアドレス領域“表示しない”を登録済み。図６（ｂ）は、本実施形態における携帯端末１００の操作部２１５にＷｅｂブラウザー３０１が表示する画面イメージである。Ｓ５００１で、リクエスト処理部３００２はボタン押下を認識する。本適用例は、“サービスB”6004ボタンを押下したものとする。ボタン押下にJavaScript（７００１）が埋め込まれているものとする。
【００３１】
Ｓ５００２で、埋め込み判断部３０００は認識したボタンに紐づくＪａｖａＳｃｒｉｐｔが埋め込まれているかどうかを判断し、JavaScript（７００１）が埋め込まれているため、Ｓ５００３へ遷移する。Ｓ５００３で、スクリプト処理部３００３は、前記ＪａｖａＳｃｒｉｐｔの指示内容を実行する。Ｓ５００４で、設定値判断部３００１は、前記ＪａｖａＳｃｒｉｐｔの実行結果のＵＲＬアドレス領域の表示・非表示設定を判断する。表示設定なので、Ｓ５００５へ遷移する。Ｓ５００５で、表示処理部３００４はＵＲＬアドレス領域を表示する。
【００３２】
Ｓ５００９で、表示処理部３００４は、ステータスフィールドに“アドレスバー表示中”を表示する。図６（ｅ）は表示画面のイメージ図であり、ステータスフィールド（6009）のイメージである。Ｓ５０１１で、リクエスト処理部３００２は、Ｓ５００１のボタン押下に対応する送信リクエストをサーバー１０２へ送信する。Ｓ５０１２で、リクエスト処理部３００２は、前記送信リクエストに対応するレスポンスをサーバー１０２から受け取る。
【００３３】
Ｓ５０１３で、解析部３００６は、前記Ｓ５０１２で受け取ったレスポンスをＵＲＬアドレスとコンテンツに解析する。図８（ａ）、図８（ｂ）は解析結果のＵＲＬアドレス（８００１）とコンテンツ（８００２）のイメージ図である。Ｓ５０１４で、表示処理部３００４は、解析結果のＵＲＬアドレス（８００１）をＵＲＬアドレス領域に設定する。Ｓ５００５でＵＲＬアドレス領域は表示しているため、URLアドレス領域に設定されたURLアドレス（８００１）を表示する。図６（ｆ）は表示画面のイメージ図である。Ｓ５０１５で、表示処理部３００４は、解析結果のコンテンツ（８００２）をコンテンツ領域に設定する。図６（ｆ）は表示画面のイメージ図であり、コンテンツ領域（6011）を表示する。
【００３４】
次に、Ｓ５００１で認識するボタン押下にＪａｖａＳｃｒｉｐｔ（７００１）が埋め込まれていないケースの適用例について述べる。Ｓ５００２で、埋め込み判断部３０００は認識したボタンに紐づくＪａｖａＳｃｒｉｐｔ（７００１）が埋め込まれていないため、Ｓ５００７へ遷移する。Ｓ５００７で、設定値管理部３００５は、管理するＵＲＬアドレス領域の設定値を取得し、“表示しない”設定値であることを特定する。Ｓ５００８で、設定値判断部３００１は、前記Ｓ５００７で取得したＵＲＬアドレス領域が表示設定かどうか判断する。“表示しない”設定なので、Ｓ５０１０へ遷移する。
【００３５】
Ｓ５０１０で、表示処理部３００４は、ステータスフィールドのステータスに“アドレスバー非表示”を表示する。図６（ｇ）は表示画面のイメージ図であり、ステータスフィールド（6012）のイメージである。Ｓ５０１１で、リクエスト処理部３００２は、Ｓ５００１のボタン押下に対応する送信リクエストをサーバー１０２へ送信する。Ｓ５０１２で、リクエスト処理部３００２は、前記送信リクエストに対応するレスポンスをサーバー１０２から受け取る。
【００３６】
Ｓ５０１３で、解析部３００６は、前記Ｓ５０１２で受け取ったレスポンスをＵＲＬアドレスとコンテンツに解析する。図９（ａ）、図９（ｂ）は解析結果のＵＲＬアドレス（９００１）とコンテンツ（９００２）のイメージ図である。Ｓ５０１４で、表示処理部３００４は、前記Ｓ５０１３で解析したＵＲＬアドレス（９００１）をＵＲＬアドレス領域に設定する。図６（ｇ）は表示画面のイメージ図である。前記Ｓ５００８で、ＵＲＬアドレス領域は表示しない設定であるため非表示である。
【００３７】
Ｓ５０１５で、表示処理部３００４は、前記Ｓ５０１３で解析したコンテンツ（９００２）をコンテンツ領域に設定し、表示する。図６（ｈ）は表示画面のイメージ図であり、コンテンツ領域（6013）を表示する。アドレスバー非表示（6015）がステータスフィールドのステータスに表示されているにもかかわらず、URLアドレス領域（6014）の表示がある。よって、正常なアドレスバー領域表示の状況と異なる状況であることを判断することが可能となる。
【００３８】
このことから、ＪａｖａＳｃｒｉｐｔを実行してＵＲＬアドレス領域が表示中である時にステータスフィールドにステータスを表示することで、ＵＲＬアドレス領域が非表示設定な場合との区別をする効果を得る。さらに、コンテンツ領域にＵＲＬアドレスに似せた画像が表示される場合、ステータスフィールドにＵＲＬアドレス領域が非表示であることを表示する。このことで、サーバーの乗っ取りや成りすましによるコンテンツとの区別をする効果を得る。
【００３９】
（第２の実施形態）
図１は、本実施形態におけるシステムの全体図である。ネットワーク１１０には、携帯端末１００と画像処理装置１０１とサーバー１０２が互いに通信可能に接続している。
【００４０】
図２（ｂ）は、画像形成装置１０１の構成を示すブロック図である。ＣＰＵ２１１を含む制御部２３０は、画像形成装置１０１全体の動作を制御する。ＣＰＵ２１１は、ＲＯＭ２１２に記憶した制御プログラムを読み出して読取制御や送信制御などの各種制御処理を実行する。ＲＡＭ２１３は、ＣＰＵ２１１の主メモリ、ワークエリア等の一時記憶領域として用いられる。ＨＤＤ２１４は、Ｗｅｂブラウザーなどの利用可能な各種プログラムや画像データを記憶する。
【００４１】
操作部Ｉ／Ｆ２１５は、操作部２１９と制御部２３０とを接続する。操作部２１９には、タッチパネル機能を有する液晶表示部やキーボードなどが備えられている。プリンタＩ／Ｆ２１６は、プリンタ２２０と制御部２３０とを接続する。プリンタ２２０で印刷すべき画像データはプリンタＩ／Ｆ２１６を介して制御部２３０からプリンタ２２０に転送し、プリンタ２２０において記録媒体上に印刷する。スキャナＩ／Ｆ２１７は、スキャナ２２１と制御部２３０とを接続する。スキャナ２２１は、原稿上の画像を読み取って画像データを生成し、スキャナＩ／Ｆ２１７を介して制御部２３０に入力する。
【００４２】
ネットワークＩ／Ｆ２１８は、制御部２３０（画像形成装置１０１）をネットワーク１１０に接続する。ネットワークＩ／Ｆ２１８は、ネットワーク１１０上の外部装置（サーバー１０２）にＷｅｂブラウザーがアクセスする接続先のサーバーのＵＲＬアドレスを送信する。
【００４３】
図３は、画像形成装置１０１のＲＯＭ２１２に格納した各制御プログラムをＣＰＵ２１１が実行することにより実現するソフトウェア構成図である。
Ｗｅｂブラウザー３０１は、埋め込み判断部３０００、設定値判断部３００１、リクエスト処理部３００２、スクリプト処理部３００３、表示処理部３００４、設定値管理部３００５、解析部３００６から成る。前記実施例１の記載内容と同様である。
【００４４】
（ボタン押下を認識し、受信レスポンスを表示するまでの処理）
本実施形態における画像形成装置１００の操作部２１５にＷｅｂブラウザー３０１を表示する。図５は、Ｗｅｂブラウザー３０１でボタン押下を認識し、受信レスポンスを表示するまでの処理のシーケンスであり、Ｓ５００１〜Ｓ５０１５は前記実施例１と同様である。
【００４５】
（ボタン押下を認識し、受信レスポンスを表示するまでの適用例）
Ｗｅｂブラウザー３０１でボタン押下を認識し、受信レスポンスを表示するまでの適用例は、前記実施例１と同様である。
【００４６】
（ステータスフィールドのステータス表示切り替え機能）
本実施により表示処理部３００４はステータスフィールドにステータスを常時表示し、異なる機能が設定したステータスを隠すケースがある。このようなケースに対し、表示処理部３００４は、一定時間の経過やステータスフィールドが押下されると、ステータスフィールドのステータス表示を切り替えて表示する。図６（ｆ）から一定時間経過後にステータスフィールド1001が切り替わった後、異なる機能が設定したスタータスを表示処理部３００４が表示する画面イメージを図１０に示す。
【００４７】
以上、第1及び第２の実施形態で説明した手順により、ボタン押下の送信リクエスト後の受信レスポンスを表示するまでに、ＷｅｂブラウザーはURLアドレス領域が表示設定かどうかを判断する。判断した結果、URLアドレス領域の表示、非表示設定のステータスをステータスフィールドに反映する。
【００４８】
このことから、スクリプトを実行してＵＲＬアドレス領域が表示中である時にステータスフィールドにＵＲＬアドレス領域の表示状態を示すステータスを表示する。このことでＵＲＬアドレス領域が非表示設定で表示されていない場合との区別をする効果を得る。さらに、コンテンツ領域にＵＲＬアドレスに似せた画像を表示する場合、ステータスフィールドにＵＲＬアドレス領域が非表示かどうかのステータスを表示する。このことで、サーバーの乗っ取りや成りすましにより表示されるコンテンツとの区別をする効果を得る。
【符号の説明】
【００４９】
１１０  ネットワーク
１００  携帯端末
１０１  画像処理装置
１０２  サーバー
【図１】
2018132845.tif 000003
【図２】
2018132845.tif 000004
【図３】
2018132845.tif 000005
【図４】
2018132845.tif 000006
【図５】
2018132845.tif 000007
【図６】
2018132845.tif 000008
【図７】
2018132845.tif 000009
【図８】
2018132845.tif 000010
【図９】
2018132845.tif 000011
【図１０】
2018132845.tif 000012